【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
第１のトレースを有する第１の打ち抜かれたコイルと、
第２のトレースを有する第２の打ち抜かれたコイルと、
第１の側面、第２の側面、第１の開口および第２の開口を有するフィルムと、を備え、前記第１の打ち抜かれたコイルが前記第１の側面に接着され、前記第２の打ち抜かれたコイルが前記第２の側面に接着され、
前記第１の打ち抜かれたコイルは前記第１の側面に接着されて、前記第１のトレースの第１の部分は前記第１の開口に隣接し、前記第１のトレースの第２の部分は前記第２の開口に隣接し、前記第２の打ち抜かれたコイルは前記第２の側面に接着されて、前記第２のトレースの第１の部分は前記第１の開口に隣接し、前記第２のトレースの第２の部分は前記第２の開口に隣接し、
前記第１の打ち抜かれたコイルの前記第１のトレースの少なくとも前記第１の部分と、前記第２の打ち抜かれたコイルの前記第２のトレースの少なくとも前記第１の部分とが、前記第１の開口を通って電気的に接続されている、無線充電コイル組立体。
【請求項２】
前記第１のトレースの前記第２の部分は、前記第２のトレースの前記第２の部分に隣接して位置している、請求項１に記載の無線充電コイル組立体。
【請求項３】
前記第１のトレースの前記第１の部分は第１の内側端であり、前記第２のトレースの前記第１の部分は第２の内側端である、請求項１に記載の無線充電コイル組立体。
【請求項４】
前記第１の内側端および前記第２の内側端は正方形形状を有するタブを含んでいる、請求項３に記載の無線充電コイル組立体。
【請求項５】
前記第１のトレースの前記第２の部分は第１の外側端であり、前記第２のトレースの前記第２の部分は第２の外側端である、請求項１に記載の無線充電コイル組立体。
【請求項６】
前記第１のトレースの前記第１の外側端および前記第２のトレースの前記第２の外側端は長方形形状を有するタブを含んでいる、請求項５に記載の無線充電コイル組立体。
【請求項７】
前記第１の打ち抜かれたコイルと前記第２の打ち抜かれたコイルとは直列に接続されている、請求項１に記載の無線充電コイル組立体。
【請求項８】
前記フィルムの前記第１の側面および前記フィルムの前記第２の側面の上の接着剤をさらに備え、前記接着剤は、前記第１の打ち抜かれたコイルを前記フィルムの前記第１の側面に、前記第２の打ち抜かれたコイルを前記フィルムの前記第２の側面に、接着している、請求項１に記載の無線充電コイル組立体。
【請求項９】
前記フィルムは誘電性のフィルムである、請求項１に記載の無線充電コイル組立体。
【請求項１０】
前記第１のトレースの前記第２の部分と前記第２のトレースの前記第２の部分とは、前記第２の開口において前記フィルムの前記第１の側面を通り、前記第２の開口において前記フィルムの前記第２の側面を通って、接触することができる、請求項１に記載の無線充電コイル組立体。
【請求項１１】
第１の内側端と、第１の外側端と、前記第１の内側端と前記第１の外側端との間に延在する第１のトレースとを有する、第１の打ち抜かれたコイルと、
第２の内側端と、第２の外側端と、前記第２の内側端と前記第２の外側端との間に延在する第２のトレースとを有する、第２の打ち抜かれたコイルと、
第１の側面と、第２の側面と、第１の開口と、第２の開口とを有するフィルムと、を備え、前記第１の打ち抜かれたコイルは前記第１の側面に接着されて、前記第１の内側端は前記第１の開口に隣接し、前記第１の外側端は前記第２の開口に隣接し、前記第２の打ち抜かれたコイルは前記第２の側面に接着されて、前記第２の内側端は前記第１の開口に隣接し、前記第２の外側端は前記第２の開口に隣接し、
前記第１の打ち抜かれたコイルの前記第１の内側端と前記第２の打ち抜かれたコイルの前記第２の内側端とは電気的に接続されている、無線充電コイル組立体。
【請求項１２】
前記第１のトレースの前記第１の外側端は前記第２のトレースの前記第２の外側端に隣接して位置している、請求項１１に記載の無線充電コイル組立体。
【請求項１３】
前記第１のトレースの前記第１の外側端と前記第２のトレースの前記第２の外側端とは、前記第２の開口において前記フィルムの前記第１の側面を通り、前記第２の開口において前記フィルムの前記第２の側面を通って、接触可能である、請求項１１に記載の無線充電コイル組立体。
【請求項１４】
前記第１の打ち抜かれたコイルと前記第２の打ち抜かれたコイルとは直列に接続されている、請求項１１に記載の無線充電コイル組立体。
【請求項１５】
前記フィルムの前記第１の側面および前記フィルムの前記第２の側面の上の接着剤をさらに備え、前記接着剤は、前記第１の打ち抜かれたコイルを前記フィルムの前記第１の側面に、前記第２の打ち抜かれたコイルをフィルムの前記第２の側面に、接着している、請求項１１に記載の無線充電コイル組立体。
【請求項１６】
前記フィルムは誘電性のフィルムである、請求項１１に記載の無線充電コイル組立体。
【手続補正２】
【補正対象書類名】明細書
【補正対象項目名】００１５
【補正方法】変更
【補正の内容】
【００１５】
トレース１３１，１５１の小さい公差および長方形断面形状により、巻き線、エッチングされたコイルなどのような、流通している産業用コイルの充填率（たとえば６５％）よりも高い充填率（たとえば８５％）をもたらし得る。たとえば、打ち抜きで得られる長方形断面形状（後記図９参照）は、丸い電線（たとえば、丸い銅線）の円形断面形状よりも潜在的に高い充填率を提供する。より特定的には、０．００６の厚みおよび０．００３の隙間を有する長方形断面形状の打ち抜かれたコイルに比較して、０．０１０インチの直径の絶縁された丸い電線（０．０００５インチの絶縁材を有する０．００９インチの直径の電線）は６５％の充填率を提供し得る。さらに、無線充電コイル１７０は、他の流通している産業用電線（たとえばリッツ線）よりも高い周囲温度で動作することができ、また、振動、衝撃または熱によって劣化しにくい。これは無線充電コイル１７０が、ひとかたまりの導体（single-monolithic conductor）で形成されていること（たとえば、多芯の電線ではないこと）が一因である。これは高温に耐えられない個別の電線芯を分離する絶縁材料を有するリッツ線の個別の芯線と対比し得る。
【手続補正３】
【補正対象書類名】明細書
【補正対象項目名】００１６
【補正方法】変更
【補正の内容】
【００１６】
図５はジャンパ線が取り付けられた組立てられた無線充電コイル２７０を示す図である。図示されてはいないが、第１の外側端２３６にジャンパ線を取り付けることができる。図示されるように、第１のコイル２３０の内側端２３４は第１のジャンパ線２７４によって第２のコイル２５０の外側端２５６に電気的に接続される。これらの端２３４，２５６は相互に比較的近接し、また、コイル２７０の同じ側に配置されて短いジャンパ線２７４を可能にしている。次に、第２のジャンパ線２７６が用いられて、第２のコイルの内側端２５４をモバイル装置の回路に電気的に接続する。外側端２３６および内側端２５４は比較的近接し、コイル２７０の同じ側に向かって配置され、これにより短いジャンパ線２７６および電子装置との電気配線の容易性を提供する。結果として、第１および第２のトレース２３１，２５１が平行電流を有するような（たとえば、各々のトレースの電流が同じ時計回り方向または反時計回り方向となるように）、一対の平行かつ近接して直列に接続されたコイル２３０，２５０となる。
【手続補正４】
【補正対象書類名】明細書
【補正対象項目名】００１９
【補正方法】変更
【補正の内容】
【００１９】
組立てられた無線充電コイル２７０は、充電コイル２７０の寸法および充電コイルの構造に用いられた材料に応じて、直流（ＤＣ）抵抗（オーム）、交流（ＡＣ）抵抗、および／またはＡＣ／ＤＣ抵抗比を多数の異なる値で提供することができる。値は、誘導の規格を満たすために高いＡＣ／ＤＣ抵抗比を実現するように調整し得る。コイルの寸法は、要求される性能特性に応じて変化する抵抗値を達成するために変化させられ得る。たとえば、Ｃ１１０合金を用いた０．２３２オームの抵抗のために、トレース２３１，２５１は０．０００１２３４平方インチの断面積（たとえば、０．００５インチの厚みおよび０．０２４６インチの幅、または、０．００４インチの厚みおよび０．０３０８インチの幅など）とすることができ、また、Ｃ１１０合金を用いた０．３００オームの抵抗のために、トレース２３１，２５１は０．００００９５３平方インチの断面積（たとえば、０．００５インチの厚みおよび０．０１９インチの幅、または、０．００４インチの厚みおよび０．０２３８インチの幅など）とすることができる。打ち抜かれた無線充電コイル２７０は、他の流通している工業的方法（たとえば、プリント配線基板（ＰＣＢ）のエッチングされたコイル）に比べて、大きいトレースの厚み、および／または、高い全体のアスペクト比を達成することができる。